(57)【要約】【課題】配管に穴を開けて特別な金具を溶接する必要をなくし、これにより、配管内部の清掃や防錆処理等の必要をなくして施工管理を容易にするとともに、選択弁自体の構成も簡略にしてコストの低減や品質維持を図ることができる消火設備用選択弁を提供すること。【解決手段】配管３が接続される接続部６を弁本体７に設けた消火設備用選択弁２において、その接続部６にガス流路８と連通する貫通孔９を穿設するとともに、この貫通孔９に圧力検知手段１１を接続するようにする。【選択図】　図１
2004097395.tif 000002
【特許請求の範囲】
【請求項１】
配管が接続される接続部を弁本体に設けた消火設備用選択弁において、前記接続部にガス流路と連通する貫通孔を穿設するとともに、該貫通孔に圧力検知手段を接続するようにしたことを特徴とする消火設備用選択弁。
【発明の詳細な説明】
【０００１】
【発明の属する技術分野】
本発明は、ガス系消火設備の選択弁に関し、特に、配管に穴を開けて特別な金具を溶接する必要をなくし、これにより、配管内部の清掃や防錆処理等の必要をなくして施工管理を容易にするとともに、選択弁自体の構成も簡略にしてコストの低減や品質維持を図ることができる消火設備用選択弁に関するものである。
【０００２】
【従来の技術】
ガス系消火設備では、最大区画の消火が可能な消火剤が貯蔵された消火剤容器と、該消火剤容器の消火剤を特定の区画に選択的に導出する選択弁とを容器室に配置するのが一般的な構成である。
消火設備が作動した場合は、出入口の上部に配置したガス充満表示灯を点灯させ、消火剤が充満した区画への立ち入りを禁止するために電気的な発光装置により警報を表示させている。
【０００３】
この警報の表示信号は、消火設備の作動信号ないしは選択弁の開放信号を使うこともできるが、電気操作を行わずに容器室で直接消火剤容器を開放させたり、誤操作や悪戯、建物の改装工事等での信号線の破壊等によっても消火剤が放出されることがあるため、警報を確実に出そうという考えから、区画に至る配管の圧力が大気圧に比べ異常に上昇した場合にガス充満表示灯を点灯させることが最も一般的に行われている。
これは回路が単純であり、結果として設置価格が安いということもその理由の一つになっている。
【０００４】
【発明が解決しようとする課題】
ところで、上記従来のガス系消火設備においては、消火設備用選択弁の作動確認用として、弁箱の出口側に圧力取り出し口を設けたり、配管にフィッティングを溶接したりしていた。
しかしながら、このように配管に穴を開けて圧力を取り出す方法は、消火設備の圧力が高いこともあり、特別な金具を溶接する必要があるばかりでなく、現場施工の場合は、配管内部の清掃や防錆処理等を行う必要があり、また、作業確認も困難であるなど施工管理上の問題もあり、製品の品質を維持することが難しかった。
【０００５】
本発明は、上記従来のガス系消火設備が有する問題点に鑑み、配管に穴を開けて特別な金具を溶接する必要をなくし、これにより、配管内部の清掃や防錆処理等の必要をなくして施工管理を容易にするとともに、選択弁自体の構成も簡略にしてコストの低減や品質維持を図ることができる消火設備用選択弁を提供することを目的とする。
【０００６】
【課題を解決するための手段】
上記目的を達成するため、本発明の消火設備用選択弁は、配管が接続される接続部を弁本体に設けた消火設備用選択弁において、前記接続部にガス流路と連通する貫通孔を穿設するとともに、該貫通孔に圧力検知手段を接続するようにしたことを特徴とする。
【０００７】
この消火設備用選択弁は、配管が接続される接続部にガス流路と連通する貫通孔を穿設するとともに、該貫通孔に圧力検知手段を接続することから、従来のように配管に穴を開け特別な金具を溶接する必要をなくすことができ、また、工場加工製品として製造できることから、品質管理を容易にするとともに、消火設備用選択弁の構成も簡易にしてコストの低減を図ることができる。
【０００８】
【発明の実施の形態】
以下、本発明の消火設備用選択弁の実施の形態を図面に基づいて説明する。
【０００９】
図１〜図２に、本発明の消火設備用選択弁の一実施例を示す。
実施例の選択弁が使用されるガス系消火設備は、二酸化炭素等の不活性ガス消火剤を加圧して高圧ガス用の消火剤容器１に充填している。
消火剤容器１の下流側には、図２に示すように、複数の消火設備用選択弁２が配管３を介して配設されており、各選択弁２の下流側には、配管３を介して複数の噴射ヘッド４が各消火区画５に設置されている。
【００１０】
この場合、消火設備用選択弁２は、図１に示すように、配管が接続される接続部６を弁本体７に備え、前記接続部６にガス流路８と連通する貫通孔９を穿設するとともに、該貫通孔９にニップル１０を介して圧力検知手段として圧力スイッチ１１を接続している。
【００１１】
弁本体７は、例えばボールバルブ式のものからなり、弁箱１２の内部にボール状弁体１３を設け、このボール状弁体１３をガス圧や手動によって弁軸１４の軸心廻りに回転させることにより、出入口の各配管３に連通する入口側ポート１５と出口側ポート１６とを開閉するようにしている。
【００１２】
配管３の接続部６は、本実施例では、弁本体７にボルトにより固定されたフランジ部によって構成されており、入口側ポート１５と出口側ポート１６とにそれぞれ設けられている。
貫通孔９は、出口側ポート１６の接続部６の外周面からガス流路８にかけて半径方向に貫設されており、該貫通孔９の外側の端部にはニップル１０が螺合されている。該ニップル１０には、管路等を介して圧力スイッチ１１が接続される。
このように、配管３の接続部６にガス流路８と連通する貫通孔９を穿設するとともに、該貫通孔９に圧力検知手段を接続することにより、構造上、圧力検知手段の設置場所が容易にとれなかったボールバルブ式選択弁に対しても、弁箱１２を大きくするような特別な構造にすることなく圧力検知手段を設置することができる。
【００１３】
かくして、本実施例の消火設備用選択弁２は、配管３が接続される接続部６にガス流路８と連通する貫通孔９を穿設するとともに、該貫通孔９に圧力検知手段を接続することから、従来のように配管３に穴を開け特別な金具を溶接する必要をなくすことができ、また、工場加工製品として製造できることから、品質管理を容易にするとともに、消火設備用選択弁２の構成も簡易にしてコストの低減を図ることができる。
【００１４】
以上、本発明の実施例を説明したが、本発明の消火設備用選択弁の構成は、この実施例の記載に限定されるものではなく、その趣旨を逸脱しない範囲において適宜に変更することが可能である。
【００１５】
【発明の効果】
本発明の消火設備用選択弁によれば、配管が接続される接続部にガス流路と連通する貫通孔を穿設するとともに、該貫通孔に圧力検知手段を接続することから、従来のように配管に穴を開け特別な金具を溶接する必要をなくすことができ、また、工場加工製品として製造できることから、品質管理を容易にするとともに、消火設備用選択弁の構成も簡易にしてコストの低減を図ることができる。
【図面の簡単な説明】
【図１】本発明の消火設備用選択弁の一実施例を示し、（ａ）は正面図、（ｂ）は要部を示す断面図である。
【図２】同実施例の消火設備用選択弁を使用する不活性ガス消火設備を要部を示す概要図である。
【図３】同実施例の消火設備用選択弁を使用する不活性ガス消火設備を示す概要図である。
【符号の説明】
１　　消火剤容器
２　　消火設備用選択弁
３　　配管
４　　噴射ヘッド
５　　消火区画
６　　接続部
７　　弁本体
８　　ガス流路
９　　貫通孔
１０　ニップル
１１　圧力スイッチ（圧力検知手段）
１２　弁箱
１３　弁体
１４　弁軸
１５　入口側ポート
１６　出口側ポート
【図１】
2004097395.tif 000003
【図２】
2004097395.tif 000004
【図３】
2004097395.tif 000005